(57)【要約】【課題】各チャンネルの番組の放送時間を直感的に認識できるように表示する。【解決手段】円形状図形を時間帯に応じて放射状に分割した扇状の各領域に、所定のチャンネルの１日の各番組が対応づけられる。所望の番組に対応する領域にフォーカスを移動させることによってその番組を選択することができ、選択した番組の詳細な情報（放送開始時刻、放送終了時刻、番組タイトル等）が円形状図形の外側の所定の領域に吹き出し表示される。【選択図】図４
2008227706.tif 000002
【特許請求の範囲】
【請求項１】
表示装置への選択項目の表示および前記選択項目の選択を制御する表示制御装置であって、
前記表示装置の画面に表示された前記選択項目を選択するために操作される項目選択手段と、
前記項目選択手段が操作されたことを検出する検出手段と、
前記検出手段により前記項目選択手段が操作されたことが検出されたとき、項目選択操作が行われたことを示す項目選択制御信号を生成する制御信号生成手段と、
円形状図形の中心から放射状に分割されて形成された複数の扇状領域およびテキストを合成して前記表示装置の画面に表示する表示制御手段と、
前記項目選択制御信号に対応して、前記表示装置の画面に表示された前記選択項目に対応する前記扇状領域の所定のものにフォーカスを表示するフォーカス表示手段と
を備えることを特徴とする表示制御装置。
【請求項２】
前記フォーカスが表示された前記扇状領域の所定のものに対応する詳細情報を吹き出し形式で表示する詳細情報表示手段
をさらに備えることを特徴とする請求項１に記載の表示制御装置。
【請求項３】
前記円形状図形の１周が所定の時間に対応し、前記円形状図形の中心から放射状に分割された前記扇状領域に対応する時間帯に応じて、前記扇状領域の表示方法が異なる
ことを特徴とする請求項１または２に記載の表示制御装置。
【請求項４】
前記円形状図形は所定のチャンネルの番組表であり、各扇状領域は前記番組表を構成する各番組に対応し、
前記表示制御手段は、複数のチャンネルの円形番組表を奥行き方向に完全に重ならないようにずらして表示し、
前記項目選択手段は、前記扇状領域に対応する番組を選択するために操作され、
前記チャンネルを選択するために操作されるチャンネル選択手段をさらに備え、
前記チャンネル選択手段によって所定のチャンネルが選択され、前記項目選択手段によって所定の番組が選択され、
前記制御信号生成手段は、選択された前記番組および前記チャンネルに対応する制御信号を生成する
ことを特徴とする請求項１乃至３のいずれかに記載の表示制御装置。
【請求項５】
前記表示制御手段は、前記チャンネル選択手段によって選択されたチャンネルに対応する前記円形状図形を最前部に表示する
ことを特徴とする請求項４に記載の表示制御装置。
【請求項６】
前記表示制御手段は、複数の前記円形状図形のレイアウトを、奥行き方向に並べたレイアウトから横方向に並べたレイアウトに段階的に変更し、または横方向に並べたレイアウトから奥行き方向に並べたレイアウトに段階的に変更する
ことを特徴とする請求項４または５のいずれかに記載の表示制御装置。
【請求項７】
前記円形状図形は所定のチャンネルの番組表であり、各扇状領域は前記番組表を構成する各番組に対応し、
前記表示制御手段は、前記チャンネルの複数の日付の円形番組表を奥行き方向に完全に重ならないようにずらして表示し、
前記項目選択手段は、前記扇状領域に対応する番組を選択するために操作され、
前記日付を選択するために操作される日付選択手段をさらに備え、
前記日付選択手段によって所定の日付が選択され、前記項目選択手段によって所定の番組が選択され、
前記制御信号生成手段は、選択された前記番組および前記日付に対応する制御信号を生成する
ことを特徴とする請求項１乃至３のいずれかに記載の表示制御装置。
【請求項８】
前記円形状図形は、前記表示装置の画面の端部に表示される
ことを特徴とする請求項４乃至７のいずれかに記載の表示制御装置。
【請求項９】
前記円形状図形は所定のチャンネルの番組表であり、各扇状領域は前記番組表を構成する各番組に対応し、
前記表示制御手段は、複数日付の円形番組表を奥行き方向に完全に重ならないようにずらして配置した各チャンネルに対応する日付別円柱状番組表を、横方向に配置し、
前記項目選択手段は、前記扇状領域に対応する番組を選択するために操作され、
前記日付を選択するために操作される日付選択手段と、チャンネルを選択するチャンネル選択手段をさらに備え、
前記日付選択手段によって所定の日付が選択され、前記項目選択手段によって所定の番組が選択され、前記チャンネル選択手段によってチャンネルが選択され、
前記制御信号生成手段は、選択された前記番組、前記日付、および前記チャンネルに対応する制御信号を生成する
ことを特徴とする請求項１に記載の表示制御装置。
【請求項１０】
前記チャンネル選択手段によって選択されたチャンネルに対応する前記日付別円柱状番組表の所定のものが他のものより大きく表示される
ことを特徴とする請求項９に記載の表示制御装置。
【請求項１１】
前記表示制御手段は、前記フォーカス表示手段によってフォーカスが表示されている番組の開始時刻に放送開始される各チャンネルの番組の情報を吹き出しで表示する
ことを特徴とする請求項９または１０に記載の表示制御装置。
【請求項１２】
前記表示制御手段は、前記フォーカス表示手段によってフォーカスが表示されている番組の放送時間帯と重なる時間帯に放送される各チャンネルの番組の情報を吹き出しで表示する
ことを特徴とする請求項９または１０に記載の表示制御装置。
【請求項１３】
前記円形状図形の１周が所定の時間に対応し、前記円形状図形の最上部に対応する時刻は、前記フォーカスが表示される位置に応じて変化する
ことを特徴とする請求項１に記載の表示制御装置。
【請求項１４】
前記円形状図形の１周が所定の時間に対応し、前記時間は任意の時間に設定可能とされる
ことを特徴とする請求項１に記載の表示制御装置。
【請求項１５】
前記表示装置の画面に表示された前記選択項目を選択するために操作される項目選択手段と、前記項目選択手段が操作されたことを検出する検出手段と、前記検出手段により前記項目選択手段が操作されたことが検出されたとき、項目選択操作が行われたことを示す項目選択制御信号を生成する制御信号生成手段と、前記制御信号生成手段によって生成された前記項目選択制御信号を送信する送信手段とを有するリモートコントローラから送信された前記項目選択制御信号を受信する受信手段をさらに備え、
前記フォーカス表示手段は、前記受信手段によって受信された前記項目選択制御信号に対応して、前記表示装置の画面に表示された前記選択項目に対応する前記扇状領域の所定のものにフォーカスを表示する
ことを特徴とする請求項１乃至１４のいずれかに記載の表示制御装置。
【請求項１６】
表示装置の画面に選択項目を表示する表示制御装置における項目選択方法であって、
前記表示制御装置は、
前記表示装置の画面に表示された選択項目を選択するために操作される項目選択手段が操作されたことを検出する検出ステップと、
前記検出ステップにおいて前記項目選択手段が操作されたことが検出されたとき、項目選択操作が行われたことを示す項目選択制御信号を生成する制御信号生成ステップと、
中心から放射状に分割された円形状図形およびテキストを合成して前記表示装置の画面に表示する表示制御ステップと、
前記項目選択制御信号に対応して、前記表示装置の画面に表示された前記円形状図形の放射状に分割されて形成された扇状領域の所定のものにフォーカスを表示するフォーカス表示ステップと
を備えることを特徴とする表示制御装置における項目選択方法。
【請求項１７】
表示装置の画面に選択項目を表示する表示制御装置における項目選択プログラムであって、
前記表示制御装置に、
前記表示装置の画面に表示された選択項目を選択するために操作される項目選択手段が操作されたことを検出する検出ステップと、
前記検出ステップにおいて前記項目選択手段が操作されたことが検出されたとき、項目選択操作が行われたことを示す項目選択制御信号を生成する制御信号生成ステップと、
中心から放射状に分割された円形状図形およびテキストを合成して前記表示装置の画面に表示する表示制御ステップと、
前記項目選択制御信号に対応して、前記表示装置の画面に表示された前記円形状図形の放射状に分割されて形成された扇状領域の所定のものにフォーカスを表示するフォーカス表示ステップと
を実行させることを特徴とする表示制御装置における項目選択プログラム。
【発明の詳細な説明】
【技術分野】
【０００１】
本発明は表示制御装置に関し、特に、電子番組表を表示する表示制御装置に関する。
【背景技術】
【０００２】
従来、テレビジョン受像機では、所定の操作を行うことにより、各放送局で放送される各番組の放送開始時刻と放送終了時刻を示す電子番組表を画面に表示させることができる。従って、所定のチャンネルの番組を視聴している視聴者は、この電子番組表に基づいて、次に視聴する番組を決め、いま視聴している番組が終了すると、次に視聴したい番組が放送されるチャンネルにリモートコントローラ（以下、リモコンと記載する）等を操作して切り替えるようにしている。
また、電子番組ガイド（以降、電子番組表と表す）の画面表示内に、少なくとも第１方式デジタル放送の電子番組表表示枠と第２方式デジタル放送の電子番組表表示枠とが確保され、これら表示枠内で各々の番組表が時間帯を一致させて表示されるようにして、使い勝手のよい電子番組表の表示機能を提供できるようにしたものがある。
【特許文献１】特開２００５−２８６９４９号公報
【発明の開示】
【発明が解決しようとする課題】
【０００３】
しかしながら、従来の電子番組表は、縦軸を時間軸とし、横軸をチャンネル番号として各番組のタイトルや放送時間等の番組内容が表示されるため、番組が放送される時間帯を直感的に認識することができず、放送される時間帯を読み間違えたり、チャンネルを誤ったりする場合があった。
また、特許文献１に記載の発明では、二種以上のデジタル放送波の番組表を同一画面上に表示することができるが、縦軸を時間軸とし、横軸をチャンネル番号とすることは従来と変わらないため、同様に、番組が放送される時間帯を直感的に知ることができず、放送される時間帯を読み間違えたり、チャンネルを誤ったりする場合があった。
本発明はこのような状況に鑑みてなされたものであり、番組が放送されるチャンネルおよび放送時間を直感的に認識することができ、番組が放送されるチャンネルや時間帯の読み違いを抑制することができるようにするものである。
【課題を解決するための手段】
【０００４】
請求項１に記載の表示制御装置は、表示装置への選択項目の表示および前記選択項目の選択を制御する表示制御装置であって、前記表示装置の画面に表示された前記選択項目を選択するために操作される項目選択手段と、前記項目選択手段が操作されたことを検出する検出手段と、前記検出手段により前記項目選択手段が操作されたことが検出されたとき、項目選択操作が行われたことを示す項目選択制御信号を生成する制御信号生成手段と、  円形状図形の中心から放射状に分割されて形成された複数の扇状領域およびテキストを合成して前記表示装置の画面に表示する表示制御手段と、前記項目選択制御信号に対応して、前記表示装置の画面に表示された前記選択項目に対応する前記扇状領域の所定のものにフォーカスを表示するフォーカス表示手段とを備えることを特徴とする。
また、前記フォーカスが表示された前記扇状領域の所定のものに対応する詳細情報を吹き出し形式で表示する詳細情報表示手段をさらに備えるようにすることができる。
また、前記円形状図形の１周が所定の時間に対応し、前記円形状図形の中心から放射状に分割された前記扇状領域に対応する時間帯に応じて、前記扇状領域の表示方法が異なる  ようにすることができる。
また、前記円形状図形は所定のチャンネルの番組表であり、各扇状領域は前記番組表を構成する各番組に対応し、前記表示制御手段は、複数のチャンネルの円形番組表を奥行き方向に完全に重ならないようにずらして表示し、前記項目選択手段は、前記扇状領域に対応する番組を選択するために操作され、前記チャンネルを選択するために操作されるチャンネル選択手段をさらに備え、前記チャンネル選択手段によって所定のチャンネルが選択され、前記項目選択手段によって所定の番組が選択され、前記制御信号生成手段は、選択された前記番組および前記チャンネルに対応する制御信号を生成するようにすることができる。
また、前記表示制御手段は、前記チャンネル選択手段によって選択されたチャンネルに対応する前記円形状図形を最前部に表示するようにすることができる。
また、前記表示制御手段は、複数の前記円形状図形のレイアウトを、奥行き方向に並べたレイアウトから横方向に並べたレイアウトに段階的に変更し、または横方向に並べたレイアウトから奥行き方向に並べたレイアウトに段階的に変更するようにすることができる。
また、前記円形状図形は所定のチャンネルの番組表であり、各扇状領域は前記番組表を構成する各番組に対応し、前記表示制御手段は、前記チャンネルの複数の日付の円形番組表を奥行き方向に完全に重ならないようにずらして表示し、前記項目選択手段は、前記扇状領域に対応する番組を選択するために操作され、前記日付を選択するために操作される日付選択手段をさらに備え、前記日付選択手段によって所定の日付が選択され、前記項目選択手段によって所定の番組が選択され、前記制御信号生成手段は、選択された前記番組および前記日付に対応する制御信号を生成するようにすることができる。
また、前記円形状図形は、前記表示装置の画面の端部に表示されるようにすることができる。
また、前記円形状図形は所定のチャンネルの番組表であり、各扇状領域は前記番組表を構成する各番組に対応し、前記表示制御手段は、複数日付の円形番組表を奥行き方向に完全に重ならないようにずらして配置した各チャンネルに対応する日付別円柱状番組表を、横方向に配置し、前記項目選択手段は、前記扇状領域に対応する番組を選択するために操作され、前記日付を選択するために操作される日付選択手段と、チャンネルを選択するチャンネル選択手段をさらに備え、前記日付選択手段によって所定の日付が選択され、前記項目選択手段によって所定の番組が選択され、前記チャンネル選択手段によってチャンネルが選択され、前記制御信号生成手段は、選択された前記番組、前記日付、および前記チャンネルに対応する制御信号を生成するようにすることができる。
また、前記チャンネル選択手段によって選択されたチャンネルに対応する前記日付別円柱状番組表の所定のものが他のものより大きく表示されるようにすることができる。
また、表示制御手段は、前記フォーカス表示手段によってフォーカスが表示されている番組の開始時刻に放送開始される各チャンネルの番組の情報を吹き出しで表示するようにすることができる。
また、前記表示制御手段は、前記フォーカス表示手段によってフォーカスが表示されている番組の放送時間帯と重なる時間帯に放送される各チャンネルの番組の情報を吹き出しで表示するようにすることができる。
また、前記円形状図形の１周が所定の時間に対応し、前記円形状図形の最上部に対応する時刻は、前記フォーカスが表示される位置に応じて変化するようにすることができる。
また、前記円形状図形の１周が所定の時間に対応し、前記時間は任意の時間に設定可能とされるようにすることができる。
また、前記表示装置の画面に表示された前記選択項目を選択するために操作される項目選択手段と、前記項目選択手段が操作されたことを検出する検出手段と、前記検出手段により前記項目選択手段が操作されたことが検出されたとき、項目選択操作が行われたことを示す項目選択制御信号を生成する制御信号生成手段と、前記制御信号生成手段によって生成された前記項目選択制御信号を送信する送信手段とを有するリモートコントローラから送信された前記項目選択制御信号を受信する受信手段をさらに備え、前記フォーカス表示手段は、前記受信手段によって受信された前記項目選択制御信号に対応して、前記表示装置の画面に表示された前記選択項目に対応する前記扇状領域の所定のものにフォーカスを表示するようにすることができる。
請求項１６に記載の項目選択方法は、表示装置の画面に選択項目を表示する表示制御装置における項目選択方法であって、前記表示制御装置は、前記表示装置の画面に表示された選択項目を選択するために操作される項目選択手段が操作されたことを検出する検出ステップと、前記検出ステップにおいて前記項目選択手段が操作されたことが検出されたとき、項目選択操作が行われたことを示す項目選択制御信号を生成する制御信号生成ステップと、中心から放射状に分割された円形状図形およびテキストを合成して前記表示装置の画面に表示する表示制御ステップと、前記項目選択制御信号に対応して、前記表示装置の画面に表示された前記円形状図形の放射状に分割されて形成された扇状領域の所定のものにフォーカスを表示するフォーカス表示ステップとを備えることを特徴とする。
請求項１７に記載の項目選択プログラムは、表示装置の画面に選択項目を表示する表示制御装置における項目選択プログラムであって、  前記表示制御装置に、前記表示装置の画面に表示された選択項目を選択するために操作される項目選択手段が操作されたことを検出する検出ステップと、前記検出ステップにおいて前記項目選択手段が操作されたことが検出されたとき、項目選択操作が行われたことを示す項目選択制御信号を生成する制御信号生成ステップと、  中心から放射状に分割された円形状図形およびテキストを合成して前記表示装置の画面に表示する表示制御ステップと、前記項目選択制御信号に対応して、前記表示装置の画面に表示された前記円形状図形の放射状に分割されて形成された扇状領域の所定のものにフォーカスを表示するフォーカス表示ステップとを実行させることを特徴とする。
【発明の効果】
【０００５】
本発明の表示制御装置によれば、円形状図形を放射状に分割した各時間帯に番組内容を表示するようにしたので、番組が放送されるチャンネルおよび放送時間を直感的に認識することができ、番組が放送されるチャンネルや時間帯の読み違えを抑制することができる。
【発明を実施するための最良の形態】
【０００６】
図１に示すように、本発明の実施の形態であるテレビジョン受像機１００は、アンテナ１を介してデジタルテレビ放送の電波を受信し、所定のチャンネル（局）を選局し、選局したチャンネルのデジタル放送信号（圧縮された映像データ、圧縮された音声データ、およびＥＰＧ（Electronic Program Guide）データからなる）を出力するデジタルテレビ放送受信部２と、デジタルテレビ放送受信部２より出力されたデジタル放送信号を、圧縮された映像データ、圧縮された音声データ、およびＥＰＧデータに分離してそれぞれ出力するデマルチプレクサ３と、デマルチプレクサ３より出力された圧縮された映像データに対してデコード処理を行い、デコードされた映像データを出力する映像デコード部４と、デマルチプレクサ３より出力された圧縮された音声データに対してデコード処理を行い、デコードされた音声データを出力する音声デコード部５と、デマルチプレクサ３より出力されたＥＰＧデータに対してデコード処理を行い、デコードされたＥＰＧデータを出力するＥＰＧデータ抽出部７と、ＥＰＧデータ抽出部７より出力されたＥＰＧデータを記憶するＥＰＧデータ記憶部８と、ユーザインタフェース管理部１１の制御下、ＥＰＧデータ記憶部８に記憶されているＥＰＧデータに基づいて電子番組表を構成し、電子番組表構成データを生成し出力する電子番組表構成部９と、ユーザインタフェース管理部１１の制御下、電子番組表構成部９によって生成され出力された電子番組表構成データに基づいて、電子番組表の表示画面に対応する電子番組表表示データを生成し、ＯＳＤ描画部１２に供給する電子番組表画面生成部１０と、リモートコントローラ（以下、適宜リモコンと記載する）２００から赤外線等により送信された制御データを受信するリモコン受信部１３と、リモコン受信部１３によって受信された制御データ、およびＥＰＧデータ記憶部８に記憶されているＥＰＧデータに基づいて、ユーザインタフェースを管理し、後述するように、電子番組表画面生成部１０を制御して所定の電子番組表表示データを生成させたり、番組の詳細情報を表示するための表示データを生成してＯＳＤ描画部１２に供給したり、フォーカスの移動処理やフォーカスによる番組の選択処理等を制御するとともに、ユーザが選択した番組に対応するチャンネルをデジタルテレビ放送受信部２が選局するように制御する選局処理等の各種処理を実行するユーザインタフェース管理部１１と、ユーザインタフェース管理部１１から供給される表示データおよび電子番組表画面生成部１０より供給される電子番組表表示データに基づいて、ＯＳＤ表示用のＯＳＤ表示データを生成し、出力するＯＳＤ描画部１２と、映像デコード部４より供給されたデコードされた映像データと、ＯＳＤ描画部１２より供給されたＯＳＤ用のＯＳＤ表示データとを合成し、合成映像信号を出力する映像／ＯＳＤ信号合成部６と、音声デコード部５より出力されたデコードされた音声データに対応する音声を出力する音声出力部１４と、映像／ＯＳＤ信号合成部６より出力された合成映像信号に対応する合成映像を表示する映像表示部１５等から構成されている。
【０００７】
ＥＰＧデータは、各テレビ放送局等が放送するテレビ番組の予定を示すデータであり、ＥＰＧデータには、チャンネル名、番組のタイトル（番組名）、出演者の氏名、放送日、放送時間帯（放送開始時刻および番組の長さ）、ジャンル名、番組内容（「あらすじ」）等からなる各番組に関する情報（以下では、番組情報と記載する）が含まれている。
【０００８】
図２は、リモコン２００の構成例を示している。同図に示すように、リモコン２００は、テレビジョン受像機１００の電源をオンまたはオフさせるときに操作される電源キー２０１と、番組表の表示または非表示を指示するときに操作される番組表キー２０２と、チャンネルの切り替えを指示するときに操作される複数のキーからなる選局キー２０３と、選択決定時に操作される決定キー２０４と、指を滑らせて操作する回転リング２０５と、映像表示部１５の画面上に表示された後述するフォーカスを移動させるときに操作される上キー２０６、下キー２０７、左キー２０８、および右キー２０９と、音量を調整するときに操作される音量キー２１０等の各種キーと、各種キーが操作されたとき、操作されたキーに対応する制御データを赤外線により送信する図示しない送信部、および各部を制御する制御部等から構成されている。
【０００９】
図３は、映像表示部１５の画面に表示される円形の電子番組表の例を示している。このように、電子番組表は、円形の形状で表され、中心から放射状に延びた線分により番組毎に分割されている。３６０度は１２時間または２４時間を表している。この例では、３０度が１時間を表し、３６０度が１２時間を表している。
【００１０】
この例では、１２：００〜１３：００は、番組「Ｎｏｏｎ  ＮＥＷＳ」、１３：００〜１４：００は、番組「ドラマ２」、１４：００〜１５：００は、番組「ワイドショー」、１５：００〜１６：００は、番組「ＴＶショッピング」、１６：００から１７：００は、番組「なつかしの歌」、１７：００〜１８：００は、番組「海外ドラマ」、１８：００〜１９：００は、番組「ＡＢＣアニメ」、１９：００〜２０：００は、番組「Ｔｏｄａｙ’ｓ  ＮＥＷＳ」、２０：００〜２１：００は、番組「クイズ○×」、２１：００〜２３：００は、番組「映画」、２３：００〜２４：００は、番組「Ｓｐｏｒｔｓ  ＮＥＷＳ」がそれぞれ放送される。
【００１１】
図４は、フォーカスが当てられている番組の詳細な情報が別枠（吹き出し）で表示された例を示している。この吹き出しは、番組の放送時間が短く、その番組に割り当てられている扇状の枠が小さくなってしまい、番組情報を表示しきれない場合に有効である。
【００１２】
この例では、番組「Ｎｏｏｎ  ＮＥＷＳ」の放送開始時刻および放送終了時刻を表す文字列「１２：００〜１２：５５」と、ハイビジョン放送であることを表す文字列「［ＨＶ］」と、ステレオ放送であることを示す文字列「［Ｓ］」と、番組連動データ放送があることを示す文字列「［デ］」と、番組内容がニュースを含むことを示す記号である「［Ｎ］」と、番組内容が天気予報を含むことを示す記号である「［天］」と、番組タイトル（番組名）「Ｎｏｏｎ  ＮＥＷＳ」とが表示されている。
【００１３】
図５は、番組タイトルが表示される領域の背景を、時間帯に応じて色分けまたはハッチングしたりする例を示している。この例では、昼の時間帯に属する番組と夜の時間帯に属する番組とを視覚的に容易に区別できるよう、異なる背景色が用いられている。即ち、１２：００〜１９：００までに対応する領域の背景が白色等の第１の色で描画され、１９：００〜２４：００までに対応する領域の背景が青色等の第２の色で描画されている。
【００１４】
図３乃至図５に示したような円形の番組表の表示データは、ユーザインタフェース管理部１１の制御下、電子番組表画面生成部１０が生成し、ＯＳＤ表示部１２を介して映像／ＯＳＤ信号合成部６に供給され、映像デコード部４より供給される映像データと合成された後、合成映像データが映像表示部１５に供給され、その画面に表示される。後述する図６以降に示す各番組表も基本的には同様の処理を経て映像表示部１５の画面に表示されるので、以降、その処理手順についての説明は適宜省略するものとする。
【００１５】
図６は、円形番組表において重複する時刻の２種類の表記方法を示している。円形番組表において、１２：００〜２４：００の番組表を表す際、円形番組表の上端部の時刻表記は１２：００と２４：００の２つの表記が重複する。
【００１６】
そこで、図６（ａ）に示すように、フォーカスが１２：００〜１３：００の番組に当てられているときは、１２：００（あるいはＡＭ１２：００）と表記され、図６（ｂ）に示すように、２３：００〜２４：００の番組にフォーカスが当てられているときは、２４：００（あるいはＰＭ１２：００）と表記されるように表記方法の選択が行われる。他の時間帯の番組にフォーカスが当てられているときは、１２：００(あるいは２４：００)と表記される。
【００１７】
図７（ａ）乃至図７（ｆ）は、円形番組表の１周に対応する時間を変化させた場合の表示形式を表している。図７（ａ）は、１周を１時間としたときの表示形式を表している。図７（ｂ）は、１周を３時間としたときの表示形式を表している。図７（ｃ）は、１周を６時間としたときの表示形式を表している。図７（ｄ）は、１周を１２時間としたときの表示形式を表している。図７（ｅ）は、１周を２４時間としたときの表示形式を表している。図７（ｆ）は、１周を一週間としたときの表示形式を表している。図７（ｆ）において、斜線で表した領域が２４時間を表しており、時計回りに翌日、翌々日・・・となり、１周で一週間（７日）を表している。
【００１８】
このように、円形番組表の１周に対応する時間を可変とすることにより、２４時間以内に放送される番組、６時間以内に放送される番組、３時間以内に放送される番組、という具合に、鳥瞰的に、大まかな番組表から次第に詳細な番組表を表示させ、段階的に詳細な情報を得るということが可能となる。その逆も可能である。
【００１９】
即ち、円形番組表の１周に対応する時間を長くすると、１日（２４時間）のうちに放送される番組の放送開始終了時刻や放送される順序が理解しやすくなる。一方、円形番組表の１周に対応する時間を短くすると、各番組に割り当てられる扇状の表示領域を大きくすることができ、番組のより詳細な情報を表示することができる。また、文字サイズを大きくして視認性を高めることもできる。
【００２０】
図７（ａ）に示したように、１周が１時間に対応する円形番組表が表示されているとき、ユーザが、図２に示したリモコン２００の回転リング２０５を回転させると、この操作に対応する制御データがリモコン２００の発光部から赤外線により送信される。この制御データは、テレビジョン受像機１００のリモコン受信部１３により受信され、ユーザインタフェース管理部１１に供給される。
【００２１】
ユーザインタフェース管理部１１は、リモコン２００から送信されてきた制御データに基づいて、フォーカスを回転リング２０５の回転操作に応じて円形番組表の所定の位置に移動させた表示データを生成し、ＯＳＤ描画部１２に供給する。これにより、映像表示部１５の画面上に表示された円形番組表のフォーカスが移動する。ユーザによる回転リング２０５の回転操作に対応してこの処理が繰り返されることにより、ユーザは所望の番組上にフォーカスを移動させることができる。
【００２２】
次に、ユーザにより右キー２０９が一回押下されると、円形番組表の１周の時間が１時間から３時間に変更され、図７（ａ）の１周が１時間の円形番組表から図７（ｂ）の１周が３時間の円形番組表に表示が切り替えられる。さらに右キー２０９が押下されると、円形番組表の１周の時間が３時間から６時間に変更され、図７（ｂ）の１周が３時間の円形番組表から図７（ｃ）の１周が６時間の円形番組表に表示が切り替えられる。
【００２３】
さらに右キー２０９が押下されると、円形番組表の１周の時間が６時間から１２時間に変更され、図７（ｃ）の１周が６時間の円形番組表から図７（ｄ）の１周が１２時間の円形番組表に表示が切り替えられる。さらに右キー２０９が押下されると、円形番組表の１周が２４時間に変更され、図７（ｄ）の１周が１２時間の円形番組表から図７（ｅ）の１周が２４時間の円形番組表に表示が切り替えられる。
【００２４】
一方、ユーザがリモコン２００の左キー２０８を押下すると、円形番組表の１周の時間が短くされる。例えば、図７（ｅ）に示した１周が２４時間の円形番組表が表示されている状態で、左キー２０８が押下されると、円形番組表の１周が１２時間に変更され、図７（ｅ）の１周が２４時間の円形番組表から図７（ｄ）の１周が１２時間の円形番組表に表示が切り替えられる。
【００２５】
さらに左キー２０８が押下される毎に、円形番組表の１周の時間が短くされ、図７（ｃ）、図７（ｂ）、図７（ａ）の順に表示が切り替えられていく。
【００２６】
翌日の番組表を表示させたい場合には、図７（ｅ）の１周が２４時間の円形番組表が表示された状態で右キー２０９を押下し、図７（ｆ）の１周が一週間の円形番組表を表示させる。さらに、回転リング２０５を回転させて、フォーカスを翌日に移動させる。次に、左キー２０８を押下すると、翌日の１周が２４時間の円形番組表が表示される。その後、適宜、左キー２０８を押下することにより、１周の時間を短くすることにより、各番組の詳細な情報を表示させることができる。
【００２７】
図７に示した円形番組表が、図８に示したように、各チャンネル毎に奥行き方向に表示されている場合には、図９を参照して後述するように、上キー２０６および下キー２０７の少なくともいずれか一方を押下することにより、チャンネルが切り替えられ、所望のチャンネルの円形番組表が表示されるようにすることができる。
【００２８】
図８は、いま選局されているチャンネルの円形番組表を手前に表示し、その他の各チャンネルの円形番組表を奥行き方向斜め上方にそれぞれ表示させた状態を示している。
【００２９】
図９は、図８に示したように、複数の円形番組表を表示した場合において、チャンネルを変更したときの動作を示している。最初、図９（ａ）に示すように、Ａ局が選局されており、次に、上キー２０６が押下されてＢ局が選局されると、図９（ｂ）に示すように、Ａ局が最後部に移動し、Ａ局に代わってＢ局の円形番組表が最前部に表示される。次に、上キー２０６が押下されてＣ局が選局されると、図９（ｃ）に示すように、Ｂ局が最後部に移動し、Ｂ局に代わってＣ局が最前部に表示される。
【００３０】
以下同様にして、他のチャンネルが選局されると、選局されたチャンネルの円形番組表が最前部に表示され、それまで最前部に表示されていた円形番組表が最後部に移動する。選局キー２０３を操作して、ランダムにチャンネルを選局した場合には、選局された円形番組表が最前部に移動し、最前部に表示されていた円形番組表が最後部に移動する。
【００３１】
図１０は、複数の円形番組表の状態（レイアウト）を変化させている様子を表している。図１０（ａ）に示した状態から、図１０（ｂ）の状態を経て、図１０（ｃ）の状態に変化させ、各円形番組表をほぼ並列に並べて表示することができる。図１０（ｂ）は、図１０（ａ）に示した状態から図１０（ｃ）に示した状態に変化する途中の状態を示している。
【００３２】
図１０（ａ）に示したレイアウトでは、一局分の番組情報しか表示することができない。このため、余計な情報（他のチャンネルの情報等）が表示されないので、所定の局における所望の番組を検索しやすいという利点がある。一方、図１０（ｃ）に示したレイアウトでは、各局の番組情報を並列に表示することができ、同時間帯に放送される番組の情報を容易に得ることができるという利点がある。
【００３３】
図１０（ａ）に示した円形番組表が表示されているとき、ユーザによりリモコン２００の回転リング２０５が操作されると、ユーザインタフェース管理部１１の制御によりフォーカスが移動するので、ユーザは、所望の番組上にフォーカスを移動させることができる。
【００３４】
右キー２０９が操作されると、ユーザインタフェース管理部１１の制御により、円形番組表のレイアウトが、図１０（ａ）のレイアウトから図１０（ｂ）のレイアウトを経て、図１０（ｃ）のレイアウトに変化する。その後、ユーザにより上キー２０６および下キー２０７の少なくともいずれか一方が操作されると、ユーザインタフェース管理部１１の制御により、フォーカスが他のチャンネルの同時間帯に放送される番組上に移動する。このように、簡単な操作で所望のチャンネルの所望の番組にフォーカスを合わせることができる。図１０（ｄ）に示した例では、フォーカスが隣接するＢ局の同時間帯に放送される番組に移動している。
【００３５】
図１１は、奥行き方向に日付別の円形番組表が配置された例を示している。この場合、選局されている所定の１局の７日分の円形番組表が奥行き方向に並べて表示されている。
【００３６】
図１２は、奥行き方向に日付別の円形番組表が配置された場合における日付切替方法の例を示している。図１２（ａ）に示したように、最前部に２／１（水）の円形番組表が表示され、奥行き方向に順に２／２（木）、２／３（金）、２／４（土）、２／５（日）、２／６（月）、２／７（火）の各円形番組表が表示されている。
【００３７】
図１２（ａ）に示したように、最前部に２／１（水）の円形番組表が表示されているとき、ユーザにより右キー２０９が操作されると、図１２（ｂ）に示したように、ユーザインタフェース管理部１１の制御により、最前部に表示されていた２／１（水）の円形番組表が最後部に移動し、次の２／２（木）の円形番組表が最前部に移動する。
【００３８】
さらに、ユーザによって右キー２０９が操作されると、図１２（ｃ）に示したように、最前部に表示されていた円形番組表が最後部に移動し、次の２／３（金）の円形番組表が最前部に移動する。
【００３９】
図１３は、現在選局されている局の番組の映像と、図１１に示したような円形番組表が映像表示部１５の画面内に同時に表示されている様子を示している。この例では、３局分の円形番組表がそれぞれ７日分だけ表示されている。
【００４０】
ユーザにより、リモコン２００の右キー２０９が操作されると、ユーザインタフェース管理部１１の制御により、３局のうち、フォーカスが当てられている最前部の円形番組表が最後部に移動し、次の日付の円形番組表が最前部に移動する。
【００４１】
同様の操作を繰り返することにより、所望の日付の円形番組表が最前部に表示されるようにすることができる。また、ユーザにより左キー２０８が操作されると、最後部の円形番組表が最前部に移動する。即ち、左キー２０８を操作することにより、最前部に表示されている円形番組表に対応する日付より前の日付の円形番組表を最前部に表示させることができる。
【００４２】
ユーザがリモコン２００の回転リング２０５を回転させると、ユーザインタフェース管理部１１の制御により、最前部に表示された円形番組表内でフォーカスが移動する。従って、回転リング２０５の操作により所望の番組にフォーカスを合わせることができる。
【００４３】
また、ユーザが上キー２０６を操作すると、ユーザインタフェース管理部１１の制御により、フォーカスが当てられている局の円形番組表の上に配置されている他局の円形番組表内の同時間帯の番組上にフォーカスが移動する。フォーカスが最上部の円形番組表内にある場合、新たに次のチャンネルの円形番組表が画面内に表示され、その円形番組表内の同時間帯の番組上にフォーカスが移動する。
【００４４】
また、ユーザが下キー２０７を操作すると、ユーザインタフェース管理部１１の制御により、フォーカスが当てられている局の円形番組表の下に配置されている他局の円形番組表内の同時間帯の番組上にフォーカスが移動する。フォーカスが最下部の円形番組表内にある場合、新たに次のチャンネルの円形番組表が画面内に表示され、その円形番組表内の同時間帯の番組上にフォーカスが移動する。
【００４５】
このように、映像表示部１５の画面内に同時に表示される円形番組表の数を所定数（この例では３）に制限し、表示できない局の円形番組表と順次切り替えて表示することにより、画面内での円形番組表の表示領域が小さい場合でも、全ての局の円形番組表を表示することができる。図１３では、３局分の円形番組表が表示されているが、表示領域の大きさに応じて表示する円形番組表の数は可変とすることができる。
【００４６】
図１４は、横方向にチャンネル、奥行き方向に日付別の円形番組表を配置した例を示している。この例では、左から順にＡ局、Ｂ局、Ｃ局、Ｄ局、Ｅ局、Ｆ局が表示されている。また、各局毎に、２／１（水）〜２／７（火）までの７日分の円形番組表が奥行き方向に重ねて配置されている。
【００４７】
ユーザがリモコン２００の右キー２０９を操作する毎に、フォーカスが右隣の局の円形番組表の同時間帯の番組上に移動する。また、左キー２０８を操作する毎に、フォーカスが左隣の局の円形番組表の同時間帯の番組上に移動する。
【００４８】
また、ユーザがリモコン２００の上キー２０６を操作する毎に、次の日の円形番組表が最前部に移動し、最前部に表示された次の日の円形番組表の同時間帯の番組上にフォーカスが移動する。また、下キー２０７を操作する毎に、前の日の円形番組表（最後部に配置されている円形番組表）が最前部に移動し、最前部に表示された前の日の円形番組表の同時間帯の番組上にフォーカスが移動する。
【００４９】
ユーザが回転リング２０５を時計回りに回転させると、回転量に応じてフォーカスが時計回りに次の番組上に順次移動する。回転リングを反時計回りに回転させると、回転量に応じてフォーカスが反時計回りに次の番組上に順次移動する。図１４の例では、Ｂ局の１２：００〜１３：００に放送される番組上にフォーカスが当てられている。
【００５０】
図１５は、図１４において、フォーカスが当てられている局の円形番組表が拡大表示される表示例を示している。これにより、注目している（フォーカスが当てられている）番組表の視認性を高めることができる。この例では、フォーカスが当てられているＣ局の円形番組表が拡大表示されている。
【００５１】
図１６は、図１４に示した円形番組表において、図４に示したように、基準時刻を含む時間帯に放送されている各局の番組の詳細情報を吹き出し部分にそれぞれ表示するようにした例である。操作方法は図１４の場合と同様である。この例では、画面左上に表示されている時刻１２：００が基準時刻である。
【００５２】
この例では、Ａ局の吹き出しには、フォーカスが当てられている番組の詳細情報「１２：００〜１３：５５  Ｎｏｏｎ  ＮＥＷＳ」が表示されている。Ｂ局の吹き出しには、同時間帯の番組の詳細情報「１２：００〜１２：５５  Ｎｏｏｎ  Ｓｈｏｗ」が表示されている。Ｃ局の吹き出しには、同時間帯の番組の詳細情報「１２：００〜１２：１５  ｉ−ＮＥＷＳ」が表示されている。Ｄ局の吹き出しには、同時間帯の番組の詳細情報「１２：００〜１２：５５  Ｎｏｏｎ  ｓｈｏｐｐｉｎｇ」が表示されている。Ｅ局の吹き出しには、同時間帯の番組の詳細情報「１２：００〜１２：１０  ＮＥＷＳ  ＦＵＪＩ」が表示されている。Ｆ局の吹き出しには、同時間帯の番組の詳細情報「１２：００〜１２：５５  ＢＥＳＴｓｈｏｐｐｉｎｇ！」が表示されている。
【００５３】
基準時刻は、フォーカスが当てられている番組の放送開始時刻としてもよいし、ユーザがリモコン２００を操作して指定した時刻とすることもできる。このように、各チャンネルの所定の時間帯に放送される番組の詳細な情報が各チャンネルの円形番組表の吹き出し部分にそれぞれ表示されるので、図１４に示した表示方法と比較して、同時間帯の番組の比較をさらに容易に行うことができる。
【００５４】
図１７は、図１６の場合と同様に、各局の円形番組表を横に並べたものである。この場合、所定の局の円形番組表においてフォーカスが当てられている番組の時間帯と同一の時間帯に放送される各局の全ての番組の詳細な情報が各局毎に各局の吹き出し部分にそれぞれ表示されている。
【００５５】
図１８は、各円形番組表の操作項目およびリモコン２００を用いた操作方法の例と、各操作方法を示している図面の番号を示している。フォーカスの移動は、回転リング２０５の回転操作により可能である（図１０、図１４、図１５、図７、図８、図９、図１１、図１２、図１３）。
【００５６】
チャンネルの切替は、右キー２０９および左キー２０８の操作、または上キー２０６および下キー２０７の操作により可能である（図１０、図１４、図１５、図７、図８、図９、図１１、図１２、図１３）。
【００５７】
日付の切替は、上キー２０６および下キー２０７の操作（図１４、図１５、図１１、図１２、図１３）、または、回転リング２０５の回転操作（図７）により可能である。
【００５８】
図１９は、番組情報がＥＰＧデータ記憶部（記憶装置）８に記憶される手順を示すフローチャートである。まず、ステップＳ１において、デジタルテレビ放送受信部２によりデジタルテレビ放送が受信され、受信データがデマルチプレクサ３に供給される。
【００５９】
次に、ステップＳ２において、デマルチプレクサ３により、受信データから映像データ、音声データ、およびＥＰＧデータが分離され、映像データは映像デコード部４に、音声データは音声デコード部５に、ＥＰＧデータはＥＰＧデータ抽出部７にそれぞれ供給される。
【００６０】
次に、ステップＳ３において、ＥＰＧデータ抽出部７において、デマルチプレクサ３より供給されたＥＰＧデータから、電子番組表の作成に必要な番組情報が抽出される。次に、ステップＳ４において、抽出された番組情報を、放送局や放送日時等を検索キーにして検索することができるようにインデックスを付して、ＥＰＧデータ記憶部８に記憶させる。その後、ステップＳ１に戻り、ステップＳ１以降の処理が繰り返し実行される。
【００６１】
ステップＳ１乃至ステップＳ４の処理が、テレビジョン受像機（デジタルテレビ放送受信装置）１００の電源がオンのときは常に実行され、番組情報がバックグラウンドで受信されている。
【００６２】
図２０は、ユーザによるリモコン２００の操作に応じて、電子番組表を映像表示部１５の画面に表示し、その他の各種操作に対応する処理が実行される手順を示すフローチャートである。まず、ステップＳ１１において、ユーザがリモコン２００の番組表キー２０２を押下すると、リモコン２００の図示しない送信部から番組表キー２０２が押下されたことを示すリモコン信号が送信される。
【００６３】
次に、ステップＳ１２において、デジタルテレビ放送受信装置１００のリモコン受信部１３によって、リモコン２００から送信されてきたリモコン信号が受信され、ユーザインタフェース管理部１１に供給される。ユーザインタフェース管理部１１により、受信されたリモコン信号に基づき、番組表キー２０２が押下されたと判断される。
【００６４】
次に、ステップＳ１３において、ユーザインタフェース管理部１１の制御下、電子番組表構成部９によってＥＰＧデータ記憶部８に記憶されているインデックスが付された番組情報が読み出され、電子番組表構成データが生成される。次に、電子番組表画面生成部１０により、電子番組表構成部９によって生成され出力された電子番組表構成データに基づいて、電子番組表の表示画面に対応する電子番組表表示データが生成され、ＯＳＤ描画部１２に供給される。
【００６５】
次に、ステップＳ１４において、ＯＳＤ描画部１２により、電子番組表画面生成部１０によって生成された電子番組表画面を表示するための電子番組表表示データに対応するＯＳＤ信号が生成され、映像／ＯＳＤ信号合成部６に供給される。映像／ＯＳＤ信号合成部６は、映像デコード部４より供給される映像信号と、ＯＳＤ描画部１２より供給されるＯＳＤ信号とを合成し、合成映像信号を映像表示部１５に供給する。これにより、映像表示部１５の画面に映像と電子番組表とが合成表示される。
【００６６】
次に、ステップＳ１５において、ユーザインタフェース管理部１１により、リモコン２００のキー入力があったか否かが判定される。その緒結果、キー入力がなかったと判定された場合、ステップＳ１５の処理が繰り返し実行される。一方、キー入力があったと判定された場合、ステップＳ１６に進む。
【００６７】
ステップＳ１６においては、リモコン２００の回転リング２０５が操作されたか否かが判定される。その結果、回転リング２０５が操作されていないと判定された場合、ステップＳ１８に進む。一方、回転リング２０５が操作されたと判定された場合、ステップＳ１７に進み、回転リング２０５の操作に応じた処理が実行された後、ステップＳ１５に戻り、ステップＳ１５以降の処理が繰り返し実行される。
【００６８】
ステップＳ１８においては、左右キー（左キー２０８と右キー２０９）の少なくともいずれか一方が操作されたか否かが判定される。その結果、左右キー（左キー２０８と右キー２０９）のいずれも操作されていないと判定された場合、ステップＳ２０に進む。一方、左右キー（左キー２０８と右キー２０９）の少なくともいずれか一方が操作されたと判定された場合、ステップＳ１９に進み、左右キー（左キー２０８と右キー２０９）の操作に応じた処理が実行された後、ステップＳ１５に戻り、ステップＳ１５以降の処理が繰り返し実行される。
【００６９】
ステップＳ２０においては、上下キー（上キー２０６と下キー２０７）の少なくともいずれか一方が操作されたか否かが判定される。その結果、上下キー（上キー２０６と下キー２０７）のいずれも操作されていないと判定された場合、ステップＳ２２に進む。一方、上下キー（上キー２０６と下キー２０７）の少なくともいずれか一方が操作されたと判定された場合、ステップＳ２１に進み、上下キー（上キー２０６と下キー２０７）の操作に応じた処理が実行された後、ステップＳ１５に戻り、ステップＳ１５以降の処理が繰り返し実行される。
【００７０】
ステップＳ２２においては、決定キー２０４が操作されたか否かが判定される。その結果、決定キー２０４が操作されていないと判定された場合、ステップＳ２４に進む。一方、決定キー２０４が操作されたと判定された場合、ステップＳ２３に進み、決定キーの操作に応じた処理が実行された後、ステップＳ１５に戻り、ステップＳ１５以降の処理が繰り返し実行される。
【００７１】
ステップＳ２４においては、番組表キー２０２が押下されたか否かが判定される。その結果、番組表キー２０２が押下されていないと判定された場合、ステップＳ１５に戻り、ステップＳ１５以降の処理が繰り返し実行される。一方、番組表キー２０２が押下されたと判定された場合、ステップＳ２５に進み、電子番組表の表示が終了される（画面上から消去される）。その後、本処理を終了する。
【００７２】
図２１は、円形番組表において、所定の扇状の表示領域上にあるフォーカスを移動させるときの手順を示すフローチャートである。まず、ステップＳ３１において、ユーザによってリモコン２００のキーが操作されると、リモコン信号がテレビジョン受像機１００に送信され、リモコン受信部１３によってリモコン信号が受信される。
【００７３】
ステップＳ３２においては、ユーザインタフェース管理部１１により、リモコン受信部１３によって受信されたリモコン信号に基づいて、回転リング２０５がユーザにより時計回りに回転されたか否かが判定される。その結果、回転リング２０５が時計回りに回転されていないと判定された場合、ステップＳ３４に進む。一方、回転リング２０５が時計回りに回転されたと判定された場合、ステップＳ３３に進み、ユーザインタフェース管理部１１の制御により、円形番組表の所定の扇状の領域にあるフォーカスが時計回り方向に隣接する他の扇状の領域に移動する。その後、ステップＳ３４に進む。
【００７４】
ステップＳ３４においては、ユーザインタフェース管理部１１により、リモコン受信部１３によって受信されたリモコン信号に基づいて、回転リング２０５がユーザにより反時計回りに回転されたか否かが判定される。その結果、回転リング２０５が反時計回りに回転されていないと判定された場合、本処理を終了する。一方、回転リング２０５が反時計回りに回転されたと判定された場合、ステップＳ３５に進み、ユーザインタフェース管理部１１の制御により、円形番組表の所定の扇状の領域にあるフォーカスが反時計回り方向に隣接する他の扇状の領域に移動する。その後、本処理を終了する。
【００７５】
図２２は、吹き出しによる詳細情報の表示手順を示すフローチャートである。まず、ステップＳ４１において、図２１を参照して上述した手順により、円形番組表の所定の扇状の領域にフォーカスを移動させる。次に、ステップ４２において、ユーザインタフェース管理部１１の制御により、フォーカスのある扇状の領域に対応する詳細情報が吹き出しの手法で表示される。その後、本処理を終了する。
【００７６】
図２３は、円形番組表において昼夜を区別して表示する手順を示すフローチャートである。まず、ステップＳ５１において、ユーザによって番組表キー２０２が押下されると、ユーザインタフェース管理部１１によりそのことが認識され、ステップＳ５２において、ユーザインタフェース管理部１１の制御により、円形番組表が映像表示部１５の画面に表示される。
【００７７】
次に、ステップＳ５３において、ユーザインタフェース管理部１１により、円形番組表を構成する扇状の各領域に対応する時間帯の中に、夜の時間帯が含まれるか否かが判定される。その結果、円形番組表を構成する扇状の各領域に対応する時間帯の中に、夜の時間帯が含まれると判定された場合、ステップＳ５４に進み、夜の時間帯の扇状の領域が夜モードで再描画される。上述した図５は、１９：００〜１２：００までを夜モードで表示した例である。
【００７８】
一方、円形番組表を構成する扇状の各領域に対応する時間帯の中に、夜の時間帯が含まれないと判定された場合、または、ステップＳ５４の処理が実行された後、本処理を終了する。
【００７９】
図２４は、円形番組表の時刻表示において、時刻が非連続になる箇所での表示手順を示している。即ち、円形番組表において、最上部において、時刻が非連続になる場合、例えば、最上部に１２：００と２４：００が割り当てられる場合、１２：００から始まる扇状の領域にフォーカスが当てられているとき、最上部の表示が１２：００にされ、２４：００で終了する扇状の領域にフォーカスが当てられているとき、最上部の表示が２４：００にされる。
【００８０】
まず、ステップＳ６１において、ユーザによるリモコン２００の操作に応じて、ユーザインタフェース管理部１１の制御により、円形番組表の扇状の所定の領域にフォーカスが移動する。
【００８１】
次に、ステップＳ６２において、ユーザインタフェース管理部１１の制御により、円形番組表に現在表示されている番組の中で、放送開始時刻が最も遅い番組にフォーカスが当てられているか否かが判定される。その結果、円形番組表に現在表示されている番組の中で、放送開始時刻が最も遅い番組にフォーカスが当てられていると判定された場合、ステップＳ６３に進み、円形番組表の扇状の領域の末端時刻が円形番組表の最上部に表示される。図２４（ｂ）に示した例では、円形番組表の最上部に２４：００が表示される。
【００８２】
一方、円形番組表に現在表示されている番組の中で、放送開始時刻が最も遅い番組にフォーカスが当てられていないと判定された場合、ステップＳ６４に進み、円形番組表の扇状の領域の先頭時刻が円形番組表の最上部に表示される。図２４（ｂ）に示した例では、円形番組表の最上部に１２：００が表示される。ステップＳ６３の処理、またはステップＳ６４の処理が終了すると、本処理が終了する。
【００８３】
図２５は、円形番組表の時間スケールを変更する処理手順を示している。ユーザによるリモコン２００の左キー２０８および右キー２０９の操作により、時間スケールが変更され、上キー２０６および下キー２０７の操作によりチャンネルが変更される。
【００８４】
まず、ステップＳ７１において、ユーザによるリモコン２００の操作に応じて、ユーザインタフェース管理部１１の制御により、円形番組表の扇状の所定の領域にフォーカスが移動する。
【００８５】
次に、ユーザインタフェース管理部１１の制御により、ステップＳ７２において、ユーザによりリモコン２００の右キー２０９が押下されたか否かが判定される。その結果、右キー２０９が押下されていないと判定された場合、ステップＳ７４に進む。一方、右キー２０９が押下されたと判定された場合、ステップＳ７３に進み、図７を参照して上述したように、円形番組表の時間表示範囲（時間スケール）が拡大される。その後、ステップＳ７４に進む。
【００８６】
次に、ステップＳ７４において、ユーザによりリモコン２００の左キー２０８が押下されたか否かが判定される。その結果、左キー２０８が押下されていないと判定された場合、ステップＳ７６に進む。一方、左キー２０８が押下されたと判定された場合、ステップＳ７５に進み、図７を参照して上述したように、円形番組表の時間表示範囲（時間スケール）が縮小される。その後、ステップＳ７６に進む。
【００８７】
次に、ステップＳ７６において、ユーザによりリモコン２００の上キー２０６が押下されたか否かが判定される。その結果、上キー２０６が押下されていないと判定された場合、ステップＳ７８に進む。一方、上キー２０６が押下されたと判定された場合、ステップＳ７７に進み、図９を参照して上述したように、チャンネルアップ操作に対応して現在選択されている最前部のチャンネルの円形番組表が最後部に移動し、移動前に奥行き方向に隣接していた他のチャンネルの円形番組表が最前部に移動し、そのチャンネルが選択される。その後、ステップＳ７８に進む。
【００８８】
次に、ステップＳ７８において、ユーザによりリモコン２００の下キー２０７が押下されたか否かが判定される。その結果、下キー２０７が押下されていないと判定された場合、本処理を終了する。一方、下キー２０７が押下されたと判定された場合、ステップＳ７９に進み、図９を参照して上述したように、チャンネルダウン操作に対応して奥行き方向の最後部に配置されている他のチャンネルの円形番組表が最前部に移動し、そのチャンネルが選局される。その後、本処理を終了する。
【００８９】
図２６は、円形番組表の時間スケールを変更する処理手順を示している。この例では、図２５の場合とは異なり、ユーザによるリモコン２００の左キー２０８および右キー２０９の操作により、チャンネルが変更され、上キー２０６および下キー２０７の操作により時間スケールが変更される。
【００９０】
まず、ステップＳ８１において、ユーザによるリモコン２００の操作に応じて、ユーザインタフェース管理部１１の制御により、円形番組表の扇状の所定の領域にフォーカスが移動する。
【００９１】
次に、ユーザインタフェース管理部１１の制御により、ステップＳ８２において、ユーザによりリモコン２００の上キー２０６が押下されたか否かが判定される。その結果、上キー２０６が押下されていないと判定された場合、ステップＳ８４に進む。一方、上キー２０６が押下されたと判定された場合、ステップＳ８３に進み、図７を参照して上述したように、円形番組表の時間表示範囲（時間スケール）が拡大される。その後、ステップＳ８４に進む。
【００９２】
次に、ステップＳ８４において、ユーザによりリモコン２００の下キー２０７が押下されたか否かが判定される。その結果、下キー２０７が押下されていないと判定された場合、ステップＳ８６に進む。一方、下キー２０７が押下されたと判定された場合、ステップＳ８５に進み、図７を参照して上述したように、円形番組表の時間表示範囲（時間スケール）が縮小される。その後、ステップＳ８６に進む。
【００９３】
次に、ステップＳ８６において、ユーザによりリモコン２００の右キー２０９が押下されたか否かが判定される。その結果、右キー２０９が押下されていないと判定された場合、ステップＳ８８に進む。一方、右キー２０９が押下されたと判定された場合、ステップＳ８７に進み、図９を参照して上述したように、チャンネルアップ操作に対応して現在選択されている最前部のチャンネルの円形番組表が最後部に移動し、移動前に奥行き方向に隣接していた他のチャンネルの円形番組表が最前部に移動し、そのチャンネルが選択される。その後、ステップＳ８８に進む。
【００９４】
次に、ステップＳ８８において、ユーザによりリモコン２００の左キー２０８が押下されたか否かが判定される。その結果、左キー２０８が押下されていないと判定された場合、本処理を終了する。一方、左キー２０８が押下されたと判定された場合、ステップＳ８９に進み、図９を参照して上述したように、チャンネルダウン操作に対応して奥行き方向の最後部に配置されている他のチャンネルの円形番組表が最前部に移動し、そのチャンネルが選局される。その後、本処理を終了する。
【００９５】
図２７（ａ）は、複数の円形番組表を奥行き方向に円柱状に配置した場合にフォーカスを他の円形番組表に移動させるときの処理手順を示すフローチャートである。図２７（ｂ）は、順送り方向にフォーカスが移動する様子を示し、図２７（ｃ）は、逆順送り方向にフォーカスが移動する様子を示す図である。
【００９６】
次に、図２７（ａ）のフローチャートを参照して、フォーカスを移動させるときの処理手順について説明する。まず、ステップＳ９１において、ユーザによるリモコン２００の操作に応じて、ユーザインタフェース管理部１１の制御により、円形番組表の扇状の所定の領域にフォーカスが移動する。
【００９７】
次に、ステップＳ９２において、上キー２０６が押下されたか否かが判定される。その結果、上キー２０６が押下されていないと判定された場合、ステップ９４に進む。一方、上キー２０６が押下されたと判定された場合、ステップＳ９３に進み、図２７（ｂ）に示すように円形番組表が順送り方向に移動する。即ち、最前部に配置されている円形番組表が最後部に移動し、他の円形番組表が順次手前に移動し、最前部に移動してきた円形番組表にフォーカスが移動する。その後、ステップＳ９４に進む。
【００９８】
次に、ステップＳ９４において、下キー２０７が押下されたか否かが判定される。その結果、下キー２０７が押下されていないと判定された場合、本処理を終了する。一方、下キー２０７が押下されたと判定された場合、ステップＳ９５に進み、図２７（ｃ）に示すように円形番組表が逆順送り方向に移動する。即ち、最後部に配置されている円形番組表が最前部に移動し、他の円形番組表が順次奥行き方向に移動し、最前部に移動してきた円形番組表にフォーカスが移動する。その後、本処理を終了する。
【００９９】
図２８は、複数の円形番組表を奥行き方向に円柱状に配置した場合にフォーカスを他の円形番組表に移動させるときの処理手順を示すフローチャートである。この例では、図２７の場合とは異なり、ユーザによるリモコン２００の右キー２０９および左キー２０８の操作に応じてフォーカスが移動するときの処理手順が示されている。まず、ステップＳ１０１において、ユーザによるリモコン２００の操作に応じて、ユーザインタフェース管理部１１の制御により、円形番組表の扇状の所定の領域にフォーカスが移動する。
【０１００】
次に、ステップＳ１０２において、右キー２０９が押下されたか否かが判定される。その結果、右キー２０９が押下されていないと判定された場合、ステップ１０４に進む。一方、右キー２０９が押下されたと判定された場合、ステップＳ１０３に進み、図２７（ｂ）に示すように円形番組表が順送り方向に移動する。即ち、最前部に配置されている円形番組表が最後部に移動し、他の円形番組表が順次手前に移動し、最前部に移動してきた円形番組表にフォーカスが移動する。その後、ステップＳ１０４に進む。
【０１０１】
次に、ステップＳ１０４において、左キー２０８が押下されたか否かが判定される。その結果、左キー２０８が押下されていないと判定された場合、本処理を終了する。一方、左キー２０８が押下されたと判定された場合、ステップＳ１０５に進み、図２７（ｃ）に示すように円形番組表が逆順送り方向に移動する。即ち、最後部に配置されている円形番組表が最前部に移動し、他の円形番組表が順次奥行き方向に移動し、最前部に移動してきた円形番組表にフォーカスが移動する。その後、本処理を終了する。
【０１０２】
図２９は、円形番組表のレイアウトパターンを変更するときの処理手順を示している。ユーザによるリモコン２００の左キー２０８および右キー２０９の操作により、レイアウトパターンが変更され、上キー２０６および下キー２０７の操作により円形番組表間でフォーカスが移動する。
【０１０３】
まず、ステップＳ１１１において、ユーザによるリモコン２００の操作に応じて、ユーザインタフェース管理部１１の制御により、円形番組表の扇状の所定の領域にフォーカスが移動する。
【０１０４】
次に、ユーザインタフェース管理部１１の制御により、ステップＳ１１２において、ユーザによりリモコン２００の右キー２０９が押下されたか否かが判定される。その結果、右キー２０９が押下されていないと判定された場合、ステップＳ１１４に進む。一方、右キー２０９が押下されたと判定された場合、ステップＳ１１３に進み、図１０を参照して上述したように、円形番組表のレイアウトパターンが順送り方向に変更して表示される。ここで、順送り方向とは、図３５を参照して後述するようレイアウトパターンの方向を定義する。即ち、図１０の例では、図１０（ａ）から図１０（ｂ）への変更、図１０（ｂ）から図１０（ｃ）への変更が行われる。その後、ステップＳ１１４に進む。
【０１０５】
次に、ステップＳ１１４において、ユーザによりリモコン２００の左キー２０８が押下されたか否かが判定される。その結果、左キー２０８が押下されていないと判定された場合、ステップＳ１１６に進む。一方、左キー２０８が押下されたと判定された場合、ステップＳ１１５に進み、図１０を参照して上述したように、円形番組表のレイアウトパターンが逆順送り方向に変更して表示される。ここで、逆送り方向とは、図３５を参照して後述するようレイアウトパターンの方向を定義する。即ち、図１０（ｃ）から図１０（ｂ）への変更、図１０（ｂ）から図１０（ａ）への変更が行われる。その後、ステップＳ１１６に進む。
【０１０６】
次に、ステップＳ１１６において、ユーザによりリモコン２００の上キー２０６が押下されたか否かが判定される。その結果、上キー２０６が押下されていないと判定された場合、ステップＳ１１８に進む。一方、上キー２０６が押下されたと判定された場合、ステップＳ１１７に進み、円形番組表のフォーカスが順送り方向に移動する。ここで、順送り方向とは、図３１を参照して後述するように、画面に向かって右方向をいうものする。即ち、図１０（ｄ）において、Ａ局からＢ局、Ｂ局からＣ局というように、右隣の円形番組表に順次フォーカスが移動する。その後、ステップＳ１１８に進む。
【０１０７】
次に、ステップＳ１１８において、ユーザによりリモコン２００の下キー２０７が押下されたか否かが判定される。その結果、下キー２０７が押下されていないと判定された場合、本処理を終了する。一方、下キー２０７が押下されたと判定された場合、ステップＳ１１９に進み、円形番組表のフォーカスが逆順送り方向に移動する。ここで、逆順送り方向とは、図３１を参照して後述するように、画面に向かって左方向をいうものする。即ち、図１０（ｄ）において、Ｇ局からＦ局、Ｆ局からＥ局というように、左隣の円形番組表に順次フォーカスが移動する。その後、本処理を終了する。
【０１０８】
図３０は、円形番組表のレイアウトパターンを変更するときの他の処理手順を示している。この例では、図２９の場合とは異なり、ユーザによるリモコン２００の上キー２０６および下キー２０７の操作により、レイアウトパターンが変更され、左キー２０８および右キー２０９の操作により円形番組表間でフォーカスが移動する。
【０１０９】
まず、ステップＳ１２１において、ユーザによるリモコン２００の操作に応じて、ユーザインタフェース管理部１１の制御により、円形番組表の扇状の所定の領域にフォーカスが移動する。
【０１１０】
次に、ユーザインタフェース管理部１１の制御により、ステップＳ１２２において、ユーザによりリモコン２００の上キー２０６が押下されたか否かが判定される。その結果、上キー２０６が押下されていないと判定された場合、ステップＳ１２４に進む。一方、上キー２０６が押下されたと判定された場合、ステップＳ１２３に進み、図１０を参照して上述したように、円形番組表のレイアウトパターンが順送り方向に変更して表示される。即ち、図１０の例では、図１０（ａ）から図１０（ｂ）への変更、図１０（ｂ）から図１０（ｃ）への変更が適宜行われる。その後、ステップＳ１２４に進む。
【０１１１】
次に、ステップＳ１２４において、ユーザによりリモコン２００の下キー２０７が押下されたか否かが判定される。その結果、下キー２０７が押下されていないと判定された場合、ステップＳ１２６に進む。一方、下キー２０７が押下されたと判定された場合、ステップＳ１２５に進み、図１０を参照して上述したように、円形番組表のレイアウトパターンが逆順送り方向に変更して表示される。即ち、図１０（ｃ）から図１０（ｂ）への変更、図１０（ｂ）から図１０（ａ）への変更が適宜行われる。その後、ステップＳ１２６に進む。
【０１１２】
次に、ステップＳ１２６において、ユーザによりリモコン２００の右キー２０９が押下されたか否かが判定される。その結果、右キー２０９が押下されていないと判定された場合、ステップＳ１２８に進む。一方、右キー２０９が押下されたと判定された場合、ステップＳ１２７に進み、図１０（ｄ）を参照して上述したように、円形番組表のフォーカスが順送り方向に移動する。即ち、Ａ局からＢ局、Ｂ局からＣ局というように、右隣の円形番組表に順次フォーカスが移動する。その後、ステップＳ１２８に進む。
【０１１３】
次に、ステップＳ１２８において、ユーザによりリモコン２００の左キー２０８が押下されたか否かが判定される。その結果、左キー２０８が押下されていないと判定された場合、本処理を終了する。一方、左キー２０８が押下されたと判定された場合、ステップＳ１２９に進み、図１０（ｄ）を参照して上述したように、円形番組表のフォーカスが逆順送り方向に移動する。即ち、Ｇ局からＦ局、Ｆ局からＥ局というように、左隣の円形番組表に順次フォーカスが移動する。その後、本処理を終了する。
【０１１４】
図３１は、円形番組表のフォーカス移動の方向を示している。右隣の円形番組表に順次フォーカスが移動するとき、このフォーカスの移動方向を順送り方向と定義している。一方、左隣の円形番組表に順次フォーカスが移動するとき、このフォーカスの移動方向を逆順送り方向と定義している。
【０１１５】
図３２は、レイアウトパターンが変更されるときの方向を示している。図３２の上段に示した状態（図１０（ａ）に対応する）から図３２の中段左に示した状態（図１０（ｂ）に対応する）に変化する方向、図３２の中段左に示した状態から図３２の下段左に示した状態（図１０（ｃ）に対応する）に変化する方向、さらには、図３２の下段右に示した状態から図３２の中段右に示した状態に変化する方向、図３２の中段右から図３２の上段に変化する方向をレイアウトパターンの順方向への変更と定義している(実線矢印方向)。
【０１１６】
一方、図３２の下段左に示した状態から図３２の中段左に示した状態に変化する方向、図３２の中段左に示した状態から図３２の上段に示した状態に変化する方向、さらには、図３２の上段から図３２の中段右に変化する方向、図３２の中段右から図３２の下段右に変化する方向をレイアウトパターンの逆順方向への変更と定義している（破線矢印方向）。
【０１１７】
図３５は、円柱状番組表を示している。同図に示すように、円柱状番組表は、既に上述したように、複数の円形番組表が奥行き方向に配置されて全体として円柱形状に見えるようになったものと定義される。
【０１１８】
図３６は、円柱状番組表が横一列に所定数配置されたときのフォーカスの円柱状番組表間での移動方向を示す順送り方向と逆順送り方向の定義を示している。順送り方向とは、右隣の円柱状番組表に順次フォーカスが移動する方向と定義される。
【０１１９】
一方、逆順送り方向とは、左隣の円柱状番組表に順次フォーカスが移動する方向と定義される。
【０１２０】
図３３は、複数の円柱状番組表間のフォーカス移動に関する処理手順を示している。ユーザによるリモコン２００の左キー２０８および右キー２０９の操作に応じて、図２７（ｂ）、（ｃ）に示したように、フォーカスを円形番組表間で順送り方向または逆順送り方向に移動させる。また、上キー２０６および下キー２０７の操作により、図３６に示したように、フォーカスを円柱状番組表間で順送り方向または逆順送り方向に移動させる。
【０１２１】
まず、ステップＳ１３１において、ユーザによるリモコン２００の操作に応じて、ユーザインタフェース管理部１１の制御により、円形番組表の扇状の所定の領域にフォーカスが移動する。
【０１２２】
次に、ユーザインタフェース管理部１１の制御により、ステップＳ１３２において、ユーザによりリモコン２００の右キー２０９が押下されたか否かが判定される。その結果、右キー２０９が押下されていないと判定された場合、ステップＳ１３４に進む。一方、右キー２０９が押下されたと判定された場合、ステップＳ１３３に進み、図２７（ｂ）を参照して上述したように、円形番組表を順送り方向に移動し、最前面の円形番組表にフォーカスする。
【０１２３】
次に、ステップＳ１３４において、ユーザによりリモコン２００の左キー２０８が押下されたか否かが判定される。その結果、左キー２０８が押下されていないと判定された場合、ステップＳ１３６に進む。一方、左キー２０８が押下されたと判定された場合、ステップＳ１３５に進み、図２７（ｃ）を参照して上述したように、円形番組表を逆順送り方向に移動し、最前面の円形番組表にフォーカスする。
【０１２４】
次に、ステップＳ１３６において、ユーザによりリモコン２００の上キー２０６が押下されたか否かが判定される。その結果、上キー２０６が押下されていないと判定された場合、ステップＳ１３８に進む。一方、上キー２０６が押下されたと判定された場合、ステップＳ１３７に進み、図３６を参照して上述したように、円柱状番組表間でフォーカスが順送り方向に移動する。
【０１２５】
次に、ステップＳ１３８において、ユーザによりリモコン２００の下キー２０７が押下されたか否かが判定される。その結果、下キー２０７が押下されていないと判定された場合、本処理を終了する。一方、下キー２０７が押下されたと判定された場合、ステップＳ１３９に進み、図３６を参照して上述したように、円形番組表間でフォーカスが逆順送り方向に移動する。その後、本処理を終了する。
【０１２６】
図３４は、複数の円柱状番組表間のフォーカス移動に関する処理手順を示している。この場合、図３３とは異なり、ユーザによるリモコン２００の上キー２０６および下キー２０７の操作に応じて、図２７（ｂ）、（ｃ）に示したように、フォーカスを円形番組表間で順送り方向
または逆順送り方向に移動させる。また、右キー２０９および左キー２０８の操作により、図３６に示したように、フォーカスを円柱状番組表間で順送り方向または逆順送り方向に移動させる。
【０１２７】
まず、ステップＳ１４１において、ユーザによるリモコン２００の操作に応じて、ユーザインタフェース管理部１１の制御により、円形番組表の扇状の所定の領域にフォーカスが移動する。
【０１２８】
次に、ユーザインタフェース管理部１１の制御により、ステップＳ１４２において、ユーザによりリモコン２００の上キー２０６が押下されたか否かが判定される。その結果、上キー２０６が押下されていないと判定された場合、ステップＳ１４４に進む。一方、上キー２０６が押下されたと判定された場合、ステップＳ１４３に進み、図２７（ｂ）を参照して上述したように、円形番組表を順送り方向に移動し、最前面の円形番組表にフォーカスする。
【０１２９】
次に、ステップＳ１４４において、ユーザによりリモコン２００の下キー２０７が押下されたか否かが判定される。その結果、下キー２０７が押下されていないと判定された場合、ステップＳ１４６に進む。一方、下キー２０７が押下されたと判定された場合、ステップＳ１４５に進み、図２７（ｃ）を参照して上述したように、円形番組表を逆順送り方向に移動し、最前面の円形番組表にフォーカスする。
【０１３０】
次に、ステップＳ１４６において、ユーザによりリモコン２００の右キー２０９が押下されたか否かが判定される。その結果、右キー２０９が押下されていないと判定された場合、ステップＳ１４８に進む。一方、右キー２０９が押下されたと判定された場合、ステップＳ１４７に進み、図３６を参照して上述したように、円柱状番組表間でフォーカスが順送り方向に移動する。
【０１３１】
次に、ステップＳ１４８において、ユーザによりリモコン２００の左キー２０８が押下されたか否かが判定される。その結果、左キー２０８が押下されていないと判定された場合、本処理を終了する。一方、左キー２０８が押下されたと判定された場合、ステップＳ１４９に進み、図３６を参照して上述したように、円柱状番組表間でフォーカスが逆順送り方向に移動する。その後、本処理を終了する。
【０１３２】
図３７は、図１６に示したように、ある時刻に放送されている番組の番組情報を吹き出し部分に表示する手順を示すフローチャートである。ユーザインタフェース管理部１１の制御により、まず、ステップＳ１５１において、基準時刻が設定される。
【０１３３】
次に、ステップＳ１５２において、現在表示中の各円形番組表から、基準時刻を含む時間帯に放送される番組が検索される。次に、ステップＳ１５３において、検索された各番組の番組情報が各円形番組表の対応するものの吹き出し部分にそれぞれ表示される。その後、本処理を終了する。
【０１３４】
図３８は、ユーザによるリモコン操作によって指定された番組が放送される時間帯と放送時間帯がオーバーラップする他のチャンネルの番組の番組情報を吹き出し部分に表示する手順を示すフローチャートである。
【０１３５】
まず、ユーザインタフェース管理部１１の制御により、ステップＳ１６１において、ユーザによるリモコン２００の操作に応じて、円形番組表の扇状の所定の領域にフォーカスが移動する。
【０１３６】
次に、ステップＳ１６２において、フォーカスされた番組が放送される時間帯（放送開始時刻および放送終了時刻）がＥＰＧデータ記憶部８に記憶されているＥＰＧデータより取得される。
【０１３７】
次に、ステップＳ１６３において、現在円形番組表に表示されているチャンネルの中で、フォーカスされた番組が放送される時間帯と放送時間帯がオーバーラップする他のチャンネルの番組が検索される。次に、ステップＳ１６４において、図１７に示したように、検索された番組の番組情報が吹き出し部分に表示される。その後、本処理を終了する。
【０１３８】
以上説明したように、本実施の形態においては、電子番組表に基づいて各チャンネルの各番組が、円形状図形を時間帯に応じて放射状に分割された扇状の各領域に割り当てられ、選択された時間帯に対応する番組の内容が表示されるので、直感的に番組が放送される時間帯を認識することができる。また、チャンネルを選択する毎に選択したチャンネルに対応する円形状図形が同一画面上に新たに表示されるようにすることができ、現在選択しているチャンネルを容易に認識することができる。
【０１３９】
また、図８等に示すように、各チャンネルを円柱形状の図形で表すことにより、選択されたチャンネルに対応する図形が水平方向に飛び出すようにすれば、いま選択されているチャンネルをより直感的に認識することができ、チャンネルを間違えるというミスを抑制することができる。
【０１４０】
なお、上記実施の形態の構成及び動作は例であって、本発明の趣旨を逸脱しない範囲で適宜変更することができることは言うまでもない。
【産業上の利用可能性】
【０１４１】
本発明の活用例として、例えば、テレビジョン受像機だけでなく、各種録画装置にも本発明を適用することができる。
【図面の簡単な説明】
【０１４２】
【図１】本発明が適用されるテレビジョン受像機の一実施の形態の構成例を示すブロック図である。
【図２】本発明が適用されるリモートコントローラ（リモコン）の一実施の形態の外観図である。
【図３】円形番組表の番組選択方法を示す図である。
【図４】吹き出し表示を示す図である。
【図５】昼夜で背景が変わる表示方法の例を示す図である。
【図６】時刻表示方法を示す図である。
【図７】時間単位が可変であることを示す図である。
【図８】複数のチャンネルの円形番組表を奥行き方向に配置し、番組選択とチャンネル選択が可能であることを示す図である。
【図９】選択されたチャンネルの円形番組表が最前部に移動することを示す図である。
【図１０】複数チャンネルの円形番組表のレイアウトの変更方法を示す図である。
【図１１】複数の日付の円形番組表を奥行き方向に配置し、番組選択と日付選択が可能であることを示す図である。
【図１２】選択された日付の円形番組表が最前部に移動することを示す図である。
【図１３】円形番組表を画面端部に表示した状態を示す図である。
【図１４】複数の日付の円形番組表を奥行き方向に円柱状に配置し、各チャンネルの円柱状の番組表を横に並べた状態を示す図である。
【図１５】選択された円柱が他より大きく表示された状態を示す図である。
【図１６】フォーカスのある番組の開始時刻に放送開始される各チャンネルの番組の情報が吹き出しで表示されている状態を示す図である。
【図１７】フォーカスのある番組の放送時間帯と重なる時間帯に放送される各チャンネルの番組の情報が吹き出しで表示されている状態を示す図である。
【図１８】各機能と各機能の実行を指示するときに操作されるキーの対応を示す図である。
【図１９】テレビジョン受像機の動作を説明するためのフローチャートである。
【図２０】円形番組表の表示と操作手順を示すフローチャートである。
【図２１】フォーカス移動の手順を示すフローチャートである。
【図２２】吹き出し表示の手順を示すフローチャートである。
【図２３】昼夜を区別して表示する手順を示すフローチャートである。
【図２４】円形番組表における時間境界上の時間表示変更手順を示すフローチャートである。
【図２５】円形番組表の時間スケールを変更する手順を示すフローチャートである。
【図２６】円形番組表の時間スケールを変更する他の手順を示すフローチャートである。
【図２７】円形番組表を円柱状に配置したときのフォーカス移動の手順を示すフローチャートである。
【図２８】円形番組表を円柱状に配置したときのフォーカス移動の他の手順を示すフローチャートである。
【図２９】円形番組表のレイアウトパターン変更手順を示すフローチャートである。
【図３０】円形番組表の他のレイアウトパターン変更手順を示すフローチャートである。
【図３１】円形番組表のフォーカス移動の方向を示す図である。
【図３２】レイアウトパターンの変更の方向を示す図である。
【図３３】複数の円柱状番組表間のフォーカス移動手順を示すフローチャートである。
【図３４】複数の円柱状番組表間の他のフォーカス移動手順を示すフローチャートである。
【図３５】円柱状番組表の例を示す図である。
【図３６】円柱状番組表のフォーカス移動の方向を示す図である。
【図３７】ある時刻に放送されている番組の番組情報を吹き出し表示する手順を示すフローチャートである。
【図３８】指定した番組の放送時間帯とオーバーラップする番組の情報を吹き出し表示する手順を示すフローチャートである。
【符号の説明】
【０１４３】
１  アンテナ
２  デジタルテレビ放送受信部
３  デマルチプレクサ
４  映像デコード部
５  音声デコード部
６  映像／ＯＳＤ信号合成部
７  ＥＰＧデータ抽出部
８  ＥＰＧデータ記憶部
９  電子番組表構成部
１０  電子番組表画面生成部
１１  ユーザインタフェース管理部
１２  ＯＳＤ描画部
１３  リモコン受信部
１４  音声出力部
１５  映像表示部
１００  テレビジョン受像機
２００  リモートコントローラ
２０１  電源キー
２０２  番組表キー
２０３  選局キー
２０４  決定キー
２０５  回転リング
２０６  上キー
２０７  下キー
２０８  左キー
２０９  右キー
２１０  音量調節キー
【図１】
2008227706.tif 000003
【図２】
2008227706.tif 000004
【図３】
2008227706.tif 000005
【図４】
2008227706.tif 000006
【図５】
2008227706.tif 000007
【図６】
2008227706.tif 000008
【図７】
2008227706.tif 000009
【図８】
2008227706.tif 000010
【図９】
2008227706.tif 000011
【図１０】
2008227706.tif 000012
【図１１】
2008227706.tif 000013
【図１２】
2008227706.tif 000014
【図１３】
2008227706.tif 000015
【図１４】
2008227706.tif 000016
【図１５】
2008227706.tif 000017
【図１６】
2008227706.tif 000018
【図１７】
2008227706.tif 000019
【図１８】
2008227706.tif 000020
【図１９】
2008227706.tif 000021
【図２０】
2008227706.tif 000022
【図２１】
2008227706.tif 000023
【図２２】
2008227706.tif 000024
【図２３】
2008227706.tif 000025
【図２４】
2008227706.tif 000026
【図２５】
2008227706.tif 000027
【図２６】
2008227706.tif 000028
【図２７】
2008227706.tif 000029
【図２８】
2008227706.tif 000030
【図２９】
2008227706.tif 000031
【図３０】
2008227706.tif 000032
【図３１】
2008227706.tif 000033
【図３２】
2008227706.tif 000034
【図３３】
2008227706.tif 000035
【図３４】
2008227706.tif 000036
【図３５】
2008227706.tif 000037
【図３６】
2008227706.tif 000038
【図３７】
2008227706.tif 000039
【図３８】
2008227706.tif 000040